(57)【特許請求の範囲】
【請求項１】
携帯端末上の多面的なグラフィック・オブジェクトの第１サーフィスを表示し、
前記携帯端末の動作を検出し、
前記検出された動作に基づいて、前記第１サーフィスを前記多面的なグラフィック・オブジェクトの第２サーフィスに切り替えることを含み、
表示された前記第１サーフィスを前記第２サーフィスに切り替えることは、多面的なグラフィック・オブジェクトで構成される複数の三次元機能キーのそれぞれが前記検出された動作に基づいて回転することを含み、
前記検出される動作は、チルト動作、フリップ動作、フリック動作及び回転動作のうち少なくとも一つであることを特徴とする、多面的なグラフィック・オブジェクトの表示面を切り替える方法。
【請求項２】
前記第１サーフィスに表示される情報は、前記第２サーフィスに表示される情報に対応することを特徴とする、請求項１に記載の方法。
【請求項３】
前記検出された動作に応じて、第１サーフィスの一部と第２サーフィスの一部が同時に表示されることを特徴とする、請求項１に記載の方法。
【請求項４】
前記第１サーフィスには、数字キーパッドの数字のグラフィック・オブジェクトが表示され、前記第２サーフィスには、対応する短縮番号の連絡対象の識別情報が表示されることを特徴とする、請求項１に記載の方法。
【請求項５】
前記第１サーフィスにはアルファベットの文字が表示され、前記第２サーフィスには数字又は記号のいずれか一つが表示されることを特徴とする、請求項１に記載の方法。
【請求項６】
表示された前記第１サーフィスを前記第２サーフィスに切り替えることは、前記多面的なグラフィック・オブジェクトの一部を折り曲げて、前記第１サーフィスの一部と前記第２サーフィスの一部を同時に表示することを特徴とする、請求項１に記載の方法。
【請求項７】
前記携帯端末の設定画面に表示された選択ボタンからディスプレイの表示切り替えモードを選択して、複数のディスプレイ設定窓のうち一つを表示させ、
前記複数のディスプレイ設定窓のうちいずれか一つから、前記携帯端末を操作する方法を与えるモードを選択して、前記第１サーフィスを前記第２サーフィスに切り替えることを特徴とする、請求項１に記載の方法。
【請求項８】
前記検出される動作が基準の臨界角度を超える角度を有するように携帯端末を傾ける場合、現在表示されている画面を順次他のディスプレイ画面に切り替えられることを特徴とする、請求項１に記載の方法。
【請求項９】
少なくとも一つの前記多面的なグラフィック・オブジェクトのサーフィスの少なくとも１つは、少なくとも１つの短縮番号に対応することを特徴とする、請求項１に記載の方法。
【請求項１０】
前記第１サーフィスに対応する情報を保存部に保存することを更に含むことを特徴とする、請求項１に記載の方法。
【請求項１１】
選択されたサーフィスが第１入力型を検出する場合、前記多面的なグラフィック・オブジェクトの前記選択されたサーフィスに対応する情報を編集するための編集画面に切り替えることを更に含むことを特徴とする、請求項１に記載の方法。
【請求項１２】
選択されたサーフィスが第２入力型を検出する場合、選択された前記サーフィスに対応する操作を実行することを更に含むことを特徴とする、請求項１に記載の方法。
【請求項１３】
選択されたサーフィスが第１入力型を検出する場合、前記選択されたサーフィスに対応する情報を入力することを更に含むことを特徴とする、請求項１に記載の方法。
【請求項１４】
選択されたサーフィスが第２入力型を検出する場合、前記選択されたサーフィスに対応する情報を抽出することを更に含むことを特徴とする、請求項１に記載の方法。
【請求項１５】
前記検出された動作が第１方向に対応する場合、前記第１サーフィスは前記第２サーフィスに切り替えられることを特徴とする、請求項１に記載の方法。
【請求項１６】
第２方向に対応する携帯端末の別の動作が検出される場合、前記第２サーフィスは前記第１サーフィスに切り替えられることを特徴とする、請求項１に記載の方法。
【請求項１７】
多面的なグラフィック・オブジェクトで構成される複数の三次元機能キーの第１サーフィスを表示するディスプレイ部と、
携帯端末の動作を検出する動作検出部と、
前記検出された動作に基づいて、表示された前記第１サーフィスを前記多面的なグラフィック・オブジェクトで構成される複数の三次元機能キーのそれぞれを第２サーフィスに切り替える制御部を含み、
前記制御部は、前記多面的なグラフィック・オブジェクトで構成される複数の三次元機能キーのそれぞれを回転することによって、第１サーフィスの一部と第２サーフィスの一部が同時に表示されるように、表示された前記第１サーフィスを前記第２サーフィスに切り替え、
前記検出される動作は、チルト動作、フリップ動作、フリック動作及び回転動作のうち少なくとも一つであることを特徴とする、携帯端末。
【請求項１８】
前記第１サーフィスに表示される情報は、前記第２サーフィスに表示される情報に対応することを特徴とする、請求項１７に記載の携帯端末。
【請求項１９】
前記制御部は、前記検出される動作の方向、速度、強度及び角度のうちの少なくとも一つに基づいて、表示された前記第１サーフィスを前記第２サーフィスに切り替えることを特徴とする、請求項１７に記載の携帯端末。
【請求項２０】
前記第１サーフィスには、数字キーパッドの数字のグラフィック・オブジェクトが表示され、前記第２サーフィスには、対応する短縮番号の連絡対象の識別情報が表示されることを特徴とする、請求項１７に記載の携帯端末。
【請求項２１】
前記第１サーフィスにはアルファベットの文字が表示され、前記第２サーフィスには数字又は記号のいずれか一つが表示されることを特徴とする、請求項１７に記載の携帯端末。
【請求項２２】
前記制御部は、前記多面的なグラフィック・オブジェクトの一部を折り曲げることによって、第１サーフィスの一部と第２サーフィスの一部が同時に表示されるように、表示された前記第１サーフィスを前記第２サーフィスに切り替えることを特徴とする、請求項１７に記載の携帯端末。
【請求項２３】
前記多面的なグラフィック・オブジェクトは、数字キーパッド上の数字ボタン、仮想キーボードのアルファベットボタン、アプリケーションアイコン、ウィジェット、或いはランチャー領域内のショートカットボタンのうちの１つであることを特徴とする、請求項１７に記載の携帯端末。
【発明の詳細な説明】
【技術分野】
【０００１】
本発明は、多面的なグラフィック・オブジェクトを有する携帯端末のグラフィックユーザインターフェース（ＧＵＩ）技術及び表示切替方法に関する。
【背景技術】
【０００２】
ＧＵＩ（ｇｒａｐｈｉｃ  ｕｓｅｒ  ｉｎｔｅｒｆａｃｅ）とは、ユーザが、メニュー、アイコン、ボタン等のグラフィック情報を用いてコンピュータと情報（ｄａｔａ）を効率的に交換することを可能にさせる作業環境を言う。従来のユーザインターフェースは、キーボードまたはマウスなどの入力装置を用いて操作することができる。通常、ユーザは、キーボードまたはマウスなどを用いて、画面のメニューのうちから１つを選択して操作を指示する。
【０００３】
最近、タッチスクリーンの更なる開発により、別途の入力装置無しに、画面上に表示されたＧＵＩをユーザが直接にタッチ操作することを可能にするグラフィックユーザインターフェース（以下、「ＧＵＩ」）が登場した。例えば、スマートフォンの場合、前記ＧＵＩの一部として、各種のグラフィックアイコンがタッチスクリーンに表示され、ユーザは、前記タッチスクリーンに表示されたグラフィックアイコンをタッチ操作することによって、システムとの相互作用（ｉｎｔｅｒａｃｔｉｏｎ）を行う。
【０００４】
また、１つのグラフィックアイコンに複数個の機能がマッピングされる場合がある。例えば、電話をかけるための数字キーパッド（テンキーボード）において、数字‘１’のボタンを短く押せば、電話番号を入力するための本来の機能が行われて‘１’が入力されるが、前記‘１’のボタンを長く押せば、数字‘１’に指定された電話番号に電話するための短縮ダイヤル操作を行うことができる。
【発明の概要】
【発明が解決しようとする課題】
【０００５】
しかし、数字キーパッドに表示された数字のボタンに多様な機能或いは操作が指定されていると、このように、数字のグラフィックアイコンのどのボタンに如何なる機能や操作がマッピングされているか、ユーザはいちいち憶え難く、各機能或いは操作を確認するために、グラフィックアイコンを手で操作して起動しなければならない煩わしさがある。
【０００６】
また、ＧＵＩボタンの領域には、該当する情報を表示するために使用できるサイズ上の制約があるので、より多くの情報をＧＵＩボタン上に組み込んで画面に表示される場合、ボタンを押した時に前記情報の読み取り或いは前記情報の認知が困難になり、審美性が損なわれる虞がある。
【０００７】
更に、ＧＵＩのモード（ｍｏｄｅ）を変更するために、例えば、アルファベット文字のキーボードから数字のキーボードにモードを切り替えるため、ユーザは、モードの切替ボタンを押すか、或いはモードを変えるためにメニューにアクセスする必要がある。
【課題を解決するための手段】
【０００８】
本発明の一態様は、多面的なグラフィック・オブジェクトを有する携帯端末のグラフィックユーザインターフェース（ＧＵＩ）を提供する。
【０００９】
本発明の一実施形態は、携帯端末上の多面的なグラフィック・オブジェクトの第１サーフィス（ｓｕｒｆａｃｅ）を表示し、前記携帯端末の動作を検出し、前記検出された動作に基づいて、前記第１サーフィスを前記多面的なグラフィック・オブジェクトの第２サーフィスに切り替えることを含むことを特徴とする、多面的なグラフィック・オブジェクトの表示面を切り替える方法を提供する。
【００１０】
また、本発明の他の実施形態は、多面的なグラフィック・オブジェクトの第１サーフィス（ｓｕｒｆａｃｅ）を表示するディスプレイ部と、携帯端末の動作を検出する動作検出部と、前記検出された動作に基づいて、表示された前記第１サーフィスを多面的なグラフィック・オブジェクトの第２サーフィスに切り替える制御部と、を含むことを特徴とする携帯端末を提供する。
【００１１】
また、本発明の他の実施形態は、多面的なグラフィック・オブジェクトの第１サーフィス（ｓｕｒｆａｃｅ）を表示するディスプレイ部と、携帯端末の動作を検出する動作検出部と、前記検出された動作に基づいて、表示された前記第１サーフィスを多面的なグラフィック・オブジェクトの第２サーフィスに切り替える制御部と、を含む携帯端末であって、前記第１及び第２サーフィスのそれぞれが携帯端末の異なる操作に相当することを特徴とする携帯端末を提供する。
【発明の効果】
【００１２】
本発明によって、ＧＵＩボタンで入力される内容を明確に認知し、モード変更のための過程をモーションという即刻な方法を通じて行うことができる。また、ユーザは、当該ＧＵＩボタンの補助入力内容を混同なしに確認し、ロングタブ（Ｌｏｎｇ  Ｔａｂ）のために操作時間をさらに消耗する必要がなく、当該機能と使用性との側面で、関連機能への切替も直ちに行うことができる。
【図面の簡単な説明】
【００１３】
【図１】３次元機能キーをグラフィックユーザインターフェース（以下、「ＧＵＩ」）に設けるための携帯端末の構成を示す概略図である。
【図２】本発明の一実施形態による３次元機能の数字キーパッドを示す図である。
【図３】本発明の一実施形態による３次元機能の数字キーパッドの表示切り替え操作を示す図である。
【図４】本発明の一実施形態による３次元機能の数字キーパッドの表示切り替え操作及び切り替えられた数字キーパッドの使用の操作を示す図である。
【図５】本発明の一実施形態による３次元機能キーの数字キーパッドの表示切り替え操作を利用して携帯端末の操作を行うことを示す図である。
【図６】本発明の一実施形態による３次元機能キーの数字キーパッドの表示切り替え操作を利用して携帯端末の操作を行うことを示す図である。
【図７】本発明の一実施形態による表示切り替え操作を設定するための設定操作の構成を示す図である。
【図８】本発明の一実施形態による表示切替の操作方法を示す図である。
【図９】本発明の一実施形態による３次元機能の数字キーパッドの表示切替の操作を用いて携帯端末の操作を行うことを示す図である。
【図１０】本発明の一実施形態による３次元機能の数字キーパッドの表示切替の操作を用いて携帯端末の操作を行うことを示す図である。
【図１１】は、本発明の一実施形態による３次元機能の数字キーパッドの表示切替の操作を用いて携帯端末の操作を行うことを示す図である。
【発明を実施するための形態】
【００１４】
本発明の更なる特徴は、以下の明細書中の記載において説明され、その一部は明細書中の記載から明白であり、或いは本発明の実施によって理解することができるであろう。
【００１５】
前述の一般的な説明及び以下の詳細な説明は例示的且つ説明的なものであって、特許請求の範囲に記載された発明の更なる説明を提供するために意図されたものである。他の特徴及び側面は、以下の詳細な説明、図面及び特許請求の範囲から明らかであろう。
【００１６】
添付した図面は、本発明の更なる理解を提供するために本願明細書に組み込まれ、本願明細書の一部を構成するものであって、本発明の実施形態を図示し、明細書と供に本発明の原理を説明する役割をする。
【００１７】
以下、添付された図面を参考に、本発明のいくつかの実施例について、更に十分に詳細に説明する。しかし、本発明は、いくつかの異なる形態での具現が可能であり、ここで説明する実施例に限定されない。むしろ、これらの実施形態は、本発明の開示が完全になるように完全に提供されたものであって、本発明の属する技術分野における通常の知識を有する者に本発明の開示範囲を十分に示すであろう
【００１８】
本願の明細書による発明の開示の目的上、「少なくとも各一つ」という用語は、この用語の後に列挙される要素の任意の組み合わせを意味し、列挙された要素の複合的な組み合わせを含む。例えば、「Ｘ、Ｙ及びＺのうち少なくとも一つ」という語句は、Ｘのみ、Ｙのみ、Ｚのみ或いはＸ、Ｙ及びＺから選択された２つ以上の要素の任意の組み合わせ（例えば、ＸＹＺ、ＸＺ、ＹＺ、ＸＹ等）を意味する。
【００１９】
図面及び詳細な説明において、他に記載が無い限り、同じ数字の参照符号は、同じ要素、特徴及び構造を示す。これらの要素の相対的なサイズ及び描写は、明確さ、説明及び便宜のために誇張されることがある。
【００２０】
ここで使用される技術用語は、特定の実施形態を説明する目的のみであって、本願の発明の開示を限定するものでは無い。本願明細書に記載されるように、単数形「ａ」及び「ａｎ」、と「ｔｈｅ」は、文脈の前後関係から明らかに他のことを示さない限り、複数形も含むことが意図されている。更に、ａ、ａｎ等の用語は、量の限定を意味するものでは無く、むしろ、その付されたものの少なくとも一つの存在を意味する。更に、「第１」、「第２」等の用語の使用は、特定の順番を示すものでは無く、個々の要素を区別するために付け加えられる。更に、第１、第２等の用語の使用は、何らかの順番や重要性を示すのでは無く、むしろ、１つの要素を他の要素から区別するために使用される。また、本明細書で用いるところでは、用語「含む（ｃｏｍｐｒｉｓｅｓ）」及び／又は「含む（ｃｏｍｐｒｉｓｉｎｇ）」若しくは「包含する（ｉｎｃｌｕｄｅｓ）」及び／又は「を含む（ｉｎｃｌｕｄｉｎｇ）」は、言及された特徴、領域、整数、ステップ、操作、要素、及び／又は成分を具体的に記載するが、これらの用語は、一つ以上の他の特徴、領域、整数、ステップ、操作、要素、成分及び又はその群を排除しないことが理解されるであろう。幾つかの特徴は個々の実施形態に関して記載されることがあるが、１以上の実施形態の特徴が１以上の実施形態の他の特徴と組み合わせられるように、前記特徴はそのような実施形態に限定されない。
【００２１】
図１は、本発明の一実施形態による３次元機能キーをグラフィックユーザインターフェース（以下、「ＧＵＩ」）に設けるための携帯端末の構成を示す概略図である。
【００２２】
図１を参照すると、本実施形態による携帯端末１００は、携帯電話、スマートフォン、タブレットパーソナルコンピュータ（タブレットＰＣ）、ポータブルマルチメディアプレイヤー（ＰＭＰ）、ＭＰ３プレーヤー等であって、特に限定されない。携帯端末１００は、動作検出部１０１、ディスプレイ部１０２、及び制御部１０３を含みうる。また、追加的に保存部１０４をさらに含むこともできる。
【００２３】
動作検出部１０１は、携帯端末１００に関するユーザの動作を検出する。前記ユーザの動作の種類は特に限定されず、例えば、動作検出部１０１は、チルト（ｔｉｌｔ）動作、またはフリップ（ｆｌｉｐ）動作、水平方向動作、垂直方向動作、回転動作のうち、少なくとも一つの動作を検出することができる。チルト動作は、ユーザが携帯端末１００の一端を初期位置から基準角（ｒｅｆｅｒｅｎｃｅ  ａｎｇｌｅ）傾けることを言う。一例として、前記初期位置とは、携帯端末１００の縦長の側面が垂直に延長する方向に向けられる最初の固定位置にしても良い。ユーザは、携帯端末の画面をより楽に見ることができるように、携帯端末１００の下端をユーザ側に向ける一方、前記携帯端末１００の上端をユーザから遠ざける方向に向くように前記チルト動作を行っても良い。
【００２４】
また、ユーザが携帯端末１００を基準軸に関して特定の方向及び角度に傾ければ、チルト動作が検出されうる。例えば、前記基準軸は、携帯端末１００の上端等の第１端がユーザから離れるように傾き、前記携帯端末１００の下端等の第２端がユーザに向かって傾くときの回転軸としても良い。フリップ動作若しくは回転動作は、ユーザが携帯端末１００を１回以上瞬間的に指でピシッと弾く際に検出されても良い。より具体的には、前記フリップ動作は、素早く連続的に、前記携帯端末１００を特定の方向に動かすか若しくは回転して、更に初期位置若しくは初期方向に向けて回し戻すことであっても良い。携帯端末１００が特定の方向に動かされるか若しくは前記したように１回以上瞬間的に指で「ピシッ」と弾く等のフリックされた時に、前記フリップ動作若しくは回転動作が検知されても良い。更に具体的には、前記フリップ動作は、前記携帯端末１００が反対方向に連続的に動かされるかフリックされる時に検出されても良い。例えば、フリップ動作は、携帯端末１００を動かすこと若しくはフリックすることであって、後方、前方、左右方向、或いは上下方向のいずれかに限定されるものでは無い。このようなチルト動作及びフリップ動作以外にも、動作検出部１０１は、携帯端末１００に加えられる多様なユーザの動作を検出するものであっても良い。例えば、動作検出部１０１は、ユーザが携帯端末１００を振るか、携帯端末１００に定められた基準値以上に加えられた圧力を検出するものであっても良い。
【００２５】
動作検出部１０１は、方位、加速度、位置、温度、圧力、照度、磁気等の携帯端末の情報を検出することを目的として、各種のセンサを含み得る。動作検出部１０１は、前記センサから出力された情報を分析するために、分析モジュールを備えても良い。前記センサとして、加速度センサ、ジャイロセンサ、カメラ、温度センサ、圧力センサ、照度センサ、近接センサ、超音波センサ、磁気センサ等のうち少なくとも一つが利用され、前記センサの種類は、特別に制限されるものではない。
【００２６】
ディスプレイ部１０２は、１以上の多面的なグラフィック・オブジェクトを表示することができ、前記多面的なグラフィック・オブジェクトは、特に限定されるものでは無く、多面的なキー、多面的なアイコン等を含んでも良い。多面的なグラフィック・オブジェクトは、前記多面的なキー等のように、３次元機能キーを含んでも良い。分かりやすくするために、実施形態では、３次元機能キーに関して記載されることがあるが、他の多面的なキー若しくは多面的なグラフィック・オブジェクトが用いられても良く、発明の特徴は、前記３次元機能キーに限定されない。多面的なキー、多面的なアイコン或いは他の多面的なグラフィック・オブジェクトは、異なるサーフィスを表示するために操作される種々のサーフィスを有しても良い。
【００２７】
実施形態において、ディスプレイ部１０２は液晶ディスプレイ（ＬＣＤ）、フレキシブルディスプレイ（ｆｌｅｘｉｂｌｅ  ｄｉｓｐｌａｙ）等のうちのいずれかであって良い。３次元機能キーは、携帯端末１００の各種の機能を制御することが可能である。実施形態において、前記３次元機能キーは、ダイヤル番号（すなわち、電話番号）に使用される３次元機能ダイヤルキーまたは携帯メールを構成する３次元機能のテキストキーとして実装することができる。３次元機能キーは、少なくとも２面を有する３次元的な形状の映像で表現されるものである。一例として、３次元機能キーの第１サーフィスは、ダイヤル操作を実行するために数字１等の数字のキーパッドボタンにマッピングしても良く、３次元機能キーの第２サーフィスは、特定のスピードダイヤル情報（ｓｐｅｅｄ−ｄｉａｌ  ｉｎｆｏｒｍａｔｉｏｎ）にマッピングしても良い。前記スピードダイヤル情報は、単一のキーを押して、或いは電話番号の全ての数字を入力すること無く、電話番号をダイヤルするためのスピードダイヤル操作を実行するために利用することができる。第２サーフィスのスピードダイヤル情報は、３次元機能の数字キーパッドボタンの第１サーフィスに対応しても良い。ここに記載されたキーは、３次元であると記載されているが、前記キーは２次元（ｔｗｏ  ｄｉｍｅｎｓｉｏｎａｌ）であっても良く、本発明は３次元に限定されるものでは無い。更に具体的には、２次元機能キーは、異なる操作に対応するイメージが携帯端末１００の動きの検知に従って切り替わるように、２次元機能キーに結びつけられた多様な操作若しくは表面的なイメージを有しても良い。しかし、他の多面的なグラフィック・オブジェクトが用いられても良いように、本発明の特徴は限定されない。例えば、グラフィック・オブジェクトは、限定されるものでは無く、アイコン、アプリケーション、スクリーン等のうち少なくともいずれか一つを含んでも良い。
【００２８】
前記スピードダイヤル情報は、数字のキーパッドボタンに対応する連絡対象の識別情報（例えば、名前、アイコン、アバターなど）を含んで良い。他の例として、１以上の３次元機能キーは、メインボタングループでマッピングされた第１サーフィスを有し、サブボタングループがマッピングされた第２サーフィスを有しても良い。メインボタングループは、ハングル文字等のネイティブ（ｎａｔｉｖｅ）の言語文字を含み、サブボタングループは、英文字等の第２言語文字、特殊文字、数字などを含みうる。ここでは、理解を助けるために、３次元機能キーが第１サーフィス及び第２サーフィスから成る２面を有するとして説明した。しかし、これは、１つの例に過ぎないものであって、３次元機能キーは、３面以上の多面を有する多面体で構成されうるということはいうまでもない。
【００２９】
また、３次元機能キーの１以上のサーフィスは、対応するスピードダイヤル番号（ｓｐｅｅｄ−ｄｉａｌ  ｎｕｍｂｅｒ）（以下、「短縮番号」という場合もある。）の識別情報を表示することもできる。例えば、３次元機能キーの第１サーフィスには、短縮番号の数字のキーパッドボタンが表示され、第２サーフィスには、前記短縮番号の数字に対応する名前が表示され、第３サーフィスには、前記短縮番号のために備えられた電話番号が表示され、第４サーフィスには、前記短縮番号に関連する写真或いは画像などを表示しても良い。一方、使用可能な数字のキーパッドボタン（例えば、０〜９）の数よりも短縮番号の数がさらに多い場合、１個以上の３次元機能キーの追加的な面（ｓｕｒｆａｃｅ）に前記短縮番号をマッピングさせて表示しても良い。例えば、３次元機能キーに０〜９のキーパッド数字が表示され、短縮番号が３０個保存された場合、３次元機能キーの第１サーフィスには、キーパッド数字が表示され、第２サーフィスには、前記短縮番号のうちの第１の１０個の短縮番号（例えば、１〜１０）に対応する識別情報が表示され、第３サーフィスには、第２の１０個の短縮番号（例えば、１１〜２０）に対応する識別情報が表示され、第４サーフィスには、第３の１０個の短縮番号（例えば、２１〜３０）に対応する識別情報を表示されるようにしても良い。従って、ユーザは、第１サーフィス、第２サーフィス、第３サーフィス及び第４サーフィスを表示する３次元機能キーディスプレイ（３Ｄ  ｋｅｙ  ｄｉｓｐｌａｙ）上のキーを回転することによって、最初の１０個の短縮番号（例えば、１〜１０）、第２の１０個の短縮番号（例えば、１１〜２０）及び第３の１０個の短縮番号（例えば、２１〜３０）から短縮番号の表示を連続的に変えることができる。また、３次元機能キーディスプレイ上のキーを回転することによって、前記３次元機能キーディスプレイ上において、全部の３次元機能キーディスプレイ又は個々の３次元機能キーのディスプレイ面を切り替えられるようにしても良い。
【００３０】
さらに他の追加的態様によって、３次元機能キーの各面（ｓｕｒｆａｃｅ）には、互いに異なるマッピンググループを表示しても良い。例えば、３次元機能キーの第１サーフィスには、ハングル文字等のネイティブ（Ｎａｔｉｖｅ）の言語文字を表示し、第２サーフィスには、英文字等の第２言語文字を表示し、第３サーフィスには、特殊文字や数字などを表示しても良い。
【００３１】
ディスプレイ部１０２は、タッチスクリーンでも良い。したがって、ユーザは、ディスプレイ部１０２に表示された３次元機能キーをタッチ操作して、携帯端末１００の各種の機能を利用することができる。
【００３２】
ディスプレイ部１０２は、３次元機能キーを３次元等の多次元的に表示することができる。更に、前記ディスプレイ部１０２には、３次元機能キーが回転していると見えるように時間に関して、前記３次元機能キーの互いに相違する複数の面を表示する所定のグラフィック効果が利用されていても良い。しかし、種々のグラフィック効果が前記３次元機能キーの各サーフィス（ｓｕｒｆａｃｅ）間の切り替えの表示に適用することができ、本発明の特徴は、前記回転に限定されない。例えば、前記グラフィック効果として、スライドによる切り替え表示、フェードアウトによる切り替え表示、モザイクを使用した切り替え表示等を適用しても良い。
【００３３】
制御部１０３は、動作検出部１０１から検出されたユーザの動作によって、ディスプレイ部１０２に表示された３次元機能キーの表示切替え操作を制御できる。実施形態において、前記制御部１０３は、中央演算素子（ＣＰＵ）等の種々の演算及び解析を実行するための演算素子（ｐｒｏｃｅｓｓｏｒ）を含んでも良い。例えば、第１面が表示されている場合、検出された携帯端末１００の動きによって３次元機能キーが回転する際に、少なくとも第１サーフィスの一部と第２サーフィスの一部が同時に見えるように、制御部１０３は、ディスプレイ部１０２におけるグラフィック効果を制御しても良い。更に、３次元機能キーは、表示されている第１サーフィスから切り替えられて第２サーフィスを表示するように回転されるようにしても良い。ここで、３次元機能キーの回転とは、仮想の中心軸を基準に３次元機能キーの前面が裏側に向かって回り、裏面が前側に向かって回ることとすることができる。また、前記３次元機能キーの回転は、前記３次元機能キーの一部が仮想の中心軸を基準に折り曲げられて、前記折り曲げられた部分の裏側が表示されることであっても良い。しかし、前記３次元機能キーの回転或いは前記３次元機能キーの多数のサーフィス（ｓｕｒｆａｃｅ）間の切り替わりは、フェードアウト、モザイク等の使用によって、種々の方法において表示することができ、本発明の特徴は、前記回転に限定されない。
【００３４】
一例として、携帯端末１００が第１位置から第２位置に変移する等、動作検出部１０１によってチルト動作が検出された場合、制御部１０３は、チルト方向及び角度のうちの少なくともいずれかによって、３次元機能キーを回転させて、第１サーフィスの表示を第２サーフィスの表示に切り替えることができる。この際、３次元機能キーの回転角度が前記検出されたチルト角度と実質的に同一になるように、前記制御部１０３は３次元機能キーの回転角度を制御して、第１サーフィスの表示と第２サーフィスの表示との切替え操作が直観的に行われて認識されるようにすることもできる。例えば、携帯端末１００を裏側方向に一定角度で傾けられたことに反応して、前記制御部１０３は携帯端末１００が傾いた角度と同程度の若しくは同一の角度で３次元機能キーを回転させて、少なくとも第１サーフィスの一部と第２サーフィスの一部とを同時に表示させても良い。ユーザが携帯端末を裏側方向に傾けて、第２位置から第１位置に切り替える時、表示されていた第１サーフィスが裏側に回りながら消えるか隠れ、第２サーフィスが前側に回りながら表示されるように制御することができる。同様に、ユーザが携帯端末１００を第１位置から第２位置に傾ける時、第２サーフィスの背後に隠されていた或いは回っていた第１サーフィスが、前側に回りながら再び表示される。更に、ユーザがより大きな角度に携帯端末を傾け、或いは基準時間の間、携帯端末を傾けた状態を維持する時、第１サーフィスが回転して完全に隠され、第２サーフィスが完全に表示されるように制御されても良い。
【００３５】
更に、制御部１０３は、ユーザが携帯端末１００を初めに持った時における携帯端末１００の向き等のように、携帯端末１００の基準方向と関係無く、３次元機能キーが携帯端末の現在の向きに関する傾斜角に応じて回転するかのように、前記３次元機能キーを制御することもできる。また、制御部１０３は、第２方向の動きに関係無く、第１方向における動きによって３次元機能キーを回転するように制御しても良い。更に、３次元機能キーは、携帯端末１００を前後方向に傾ける場合等のように、携帯端末１００の傾斜角によって前側及び後側に回転するかのように表示されても良い。また、携帯端末を左右方向に傾ける場合であっても、そのような他の方向への動きとは関係無く、３次元機能キーは、携帯端末の傾斜角によって前側及び後側に回転するかのように表示されても良い。しかし、多方向における動きはディスプレイの切り替え操作において考慮されて良いものであって、本発明の特徴は、前記回転の制御に限定されない。
【００３６】
本発明の特徴によれば、傾けた携帯端末１００が定められた臨界角度範囲内に保たれる場合、第１サーフィスの表示を保持することができる。そして、前記携帯端末がその臨界角度範囲を超えて傾けられると、第１サーフィスは第２サーフィスに表示が切り替えられることも可能である。この際、ディスプレイ表面が第２サーフィスへの表示に切替えられた場合、携帯端末１００を元の位置或いは水平状態に復帰させても、第２サーフィスの表示が保持されるようにすることができる。しかし、携帯端末が元の位置或いは水平状態に復帰すると、第１サーフィスが表示されるように制御するように、本発明の特徴は、前記の切り替えの制御に限定されない。更に、携帯端末が前記の臨界角度範囲よりも傾斜させられた時に、表示された面（サーフィス）が第２サーフィスから第１サーフィスへ復帰するように切り替えられるようにすることもできる。
【００３７】
他の例として、動作検出部１０１によってフリップ動作若しくは回転動作が検出された場合、制御部１０３は、３次元機能キーをフリップ動作若しくは回転動作をする度に、第１サーフィスから第２サーフィスへ或いはその反対にひっくり返して、第１サーフィスの表示を第２サーフィスの表示に、またはその逆に切り替えることが可能である。例えば、フリップ動作若しくは回転動作が最初に検出された場合、制御部１０３は３次元機能キーをフリップ動作若しくは回転して、第１サーフィスの表示を第２サーフィスの表示に切り替えても良い。フリップ動作が二番目に検出された場合、制御部１０３は３次元機能キーをフリップ動作若しくは回転して、第２サーフィスの表示を第１サーフィスの表示に切り替えることも可能である。フリップ方向或いは回転方向は、携帯端末１００のフリップ動作若しくは回転動作に対応していても良い。更に、携帯端末が臨界値を超えた速度で回転軸の周りを回転し、若しくはある方向へ移動する場合、限定されること無く、フリップ動作或いは回転動作が検出されても良い。
【００３８】
また、フリップ動作の方向に基づいて、第１サーフィスと第２サーフィスの表示の切り替えを行っても良い。更に具体的には、第１方向でのフリップ動作があると、第１サーフィスから第２サーフィスへの切り替えが開始され、第２方向（例えば、一方向に対して逆の或いは異なる方向）でのフリップ動作があると、第２サーフィスから第１サーフィスへの切り替えが開始されても良い。また、３次元機能キーが３つ以上の面（「サーフィス」とも言う。）を有する場合、フリップ動作の回数によって、各面の表示を順次に切り替えることもできる。例えば、第１サーフィスが表示された状態で、携帯端末１００の第１のフリップ動作若しくは回転動作が検出される場合、ディスプレイの表示が第２サーフィスに切り替えられ、携帯端末１００の第２のフリップ動作若しくは回転動作が検出される場合、ディスプレイの表示が第２サーフィスから第３サーフィスに表示切り替えられても良い。前記と同様にして、サーフィスの切り替えの方向は、携帯端末のフリップの方向に基づくものであっても良い。
【００３９】
本発明の特徴によれば、瞬間的に携帯端末１００を弾く動作（いわゆる「フリック動作（ｆｌｉｃｋｉｎｇ）」）或いは携帯端末１００のフリップ動作の速度、フリック動作或いはフリップ動作の方向、フリック動作或いはフリップ動作の加速度の大きさのうち、少なくとも１つを考慮して、第１サーフィス及び第２サーフィス間の表示切替えの決定、或いは表示切り替え操作の実行を制御することも可能である。更に具体的には、検出されたフリップ動作又はフリック速度或いは強さが定められた臨界速度や強度より小さい場合、表示切替え操作は実行されなくても良い。臨界速度や強度以上のフリップ動作又はフリック動作がなされた場合、表示切替えを行っても良い。また、フリップ動作又はフリック動作の速度や強度によって表示切替操作の実行方法を異ならせることもできる。例えば、低速度や低強度のフリップ動作又はフリック動作が検出される場合、フリップ動作又はフリック動作の回数によって、例えば、「第１サーフィス→第２サーフィス→第３サーフィス」のように表示切替え操作が行われても良い。高い速度や強度のフリップ動作又はフリック動作が発生した場合、例えば、第２サーフィスを表示しないで第１サーフィスから第３サーフィスに直接に切り替える表示切替え操作が実行されても良い。
【００４０】
多面的なキーの表示を変更する例は回転動作、フリップ動作、フリック動作のうちのいずれかに関して記載されているが、本発明はこれらに限定されず、他の検出された動き若しくはジェスチャー（ｇｅｓｔｕｒｅ）によって変更されるものであっても良い。他の動き若しくはジェスチャは、ドラッグ動作、スクロール動作、トラップ動作、タッチ動作等を含んでも良く、限定されない。
【００４１】
保存部１０４は、３次元機能キーの少なくとも１つのサーフィスに表示される情報または少なくとも１つのサーフィスについての識別情報が保存される。一実施形態において、保存部１０４は、種々の情報やデータを保存するために使用される非一時的な記憶装置を含み得る。例えば、第１サーフィスに表示される情報として数値（例えば、‘０、１、２、．．．、９’）が保存され、第２サーフィスに表示される情報としてスピードダイヤル番号と関連する情報のうち、名前が保存され、第３サーフィスに表示される情報としてスピードダイヤル番号に関連する名前に対応する電話番号が保存される。第２サーフィス上の表示情報は、スピードダイヤル情報が保存された表（ｔａｂｌｅ）の名前フィールドの識別情報等であって、第２サーフィス上にマッピングして保存部１０４に保存することができる。また、第３サーフィス上に表示される情報は、前記テーブルの電話番号フィールドの識別情報等であって、第３サーフィス上にマッピングして保存部１０４に保存される。このように、前記保存部１０４は、１以上の３次元機能キーの対応するサーフィスに情報をマッピングして前記マッピングされた情報を保存することができる。
【００４２】
また、保存部１０４は、１以上の３次元機能キーの切替方向及び順序についての情報を保存することもできる。更に具体的には、携帯端末１００のチルト動作、またはフリップ動作に従う３次元機能キーの各面の切替順序、表示切替操作方法や指定されたグラフィック効果などが前記保存部１０４に保存されても良い。切替順序は、携帯端末１００の検出された動作によって、３次元機能キーの各面が切り替えられる順序（例えば、第１サーフィス→第２サーフィス→第３サーフィス．．．）を示すことができる。前記表示切替操作方法は、携帯端末の検出された動作によって、３次元機能キーの表示切替操作の間にサーフィスを表示する方法を示す。例えば、３次元機能キーのサーフィスは、チルトされた角度及び方向のうち少なくとも一つによって切り替えられても良い。更に、３次元機能キーのサーフィスは、前記チルト動作が基準角或いは基準速度よりも大きいか、或いはフリップ動作が検出されれば、直ちに切り替えられても良い。
【００４３】
携帯端末１００の動作が検出されれば、制御部１０３は、現在携帯端末１００に表示された３次元機能キーの表示面を認識する。そして、携帯端末１００の検出された動作によって、制御部１０３は、保存部１０４に保存された切替順序をロードして、前記ロードされた切替順序に基づいてどの３次元機能キーのサーフィスが表示されるべきかを判断することができる。
【００４４】
そして、制御部１０３は切替方法を保存部１０４から抽出し、該抽出された切替方法に基づいて、表示されるべき３次元機能キーのサーフィスに対応する情報を抽出して、表示面を変更する。
【００４５】
図１で、それぞれの機能ユニットは、その機能によって論理的分類に対応しても良い。しかしながら、本発明は機能による論理的分類に限定されず、図１の装置において使用された基準に対して異なる基準によって、携帯端末１００の機能が区分されても良い。また、図１に含まれる１以上の機能ユニットは、個別的に実装されても良く、１以上の機能ユニットが統合されて実装されても良い。また、１つの機能ユニットの１以上の機能が、１つまたはそれ以上の他の機能ユニットによって行われても良い。更に、１つの機能ユニットの１以上の機能は、１以上の異なる機能ユニットによって実行されても良い。更に、機能ユニットのそれぞれは、種々の演算素子、コンピュータ或いはエーシック（ａｐｐｌｉｃａｔｉｏｎ  ｓｐｅｃｉｆｉｃ  ｉｎｔｅｇｒａｔｅｄ  ｃｉｒｃｕｉｔ（ＡＳＩＣ））のいずれか、例えば、前記機能ユニットの機能のそれぞれ或いは１つ以上の種々の機能を実行するように具体的にプログラムされたものを含んでも良い。
【００４６】
図２は、本発明の一実施形態による３次元機能キーパッドを示す。
図２を参照すると、３次元機能キーのそれぞれは、第１サーフィス２０１と第２サーフィス２０２とを含む。本実施形態による３次元機能キーは、携帯端末の各種機能（例えば、電話通話機能、テキストメッセージ伝送、特定のアプリケーションの実行）と関連した各種の入力ボタンに対応するグラフィックイメージとして表示されている。言い換えれば、ユーザは、３次元機能キーをタッチ操作して、携帯端末の各種の機能を使用及び制御することができる。
【００４７】
図２で、３次元機能キーの第１サーフィス２０１は、キーパッド数字に対応する。例えば、第１サーフィス２０１には、電話をかける時の電話番号を入力するため、或いは計算機のアプリケーションを操作する等の他の機能を実行するために入力される数字が表示される。また、３次元機能キーの第２サーフィス２０２は、スピードダイヤル番号の情報に対応する。例えば、第２サーフィス２０２には、連絡対象の名前が表示される。例えば、数字“１”に相当する３次元機能キー（２００）の場合、第１サーフィス２０１に数字‘１’が表示され、第２サーフィス２０２に短縮キー‘１’にマッピングされた‘ママ’が表示される。もし、ユーザが第１サーフィス２０１の数字‘１’を押せば、‘ママ’に電話連結が実行される。
【００４８】
図２で、３次元機能キー２００は、検出された携帯端末の動作によって、第１サーフィス２０１及び／又は第２サーフィス２０２の表示を切替えすることができる。第１サーフィス２０１及び第２サーフィス２０２との間の表示切替操作に適用することが可能なグラフィック効果は、検出された携帯端末の動作を反映して決定されても良い。例えば、現在の位置又は方向に関して携帯端末の検出された一定角度の傾きに応答して、対応する一定角度で３次元機能キーが回転させられても良い。したがって、携帯端末の傾き角によって、第１サーフィス２０１の一部と第２サーフィス２０２の一部とが同時に表示されても良い。更に、携帯端末を一定角度以上傾ける場合、３次元機能キーが回転して、第１サーフィス２０１から第２サーフィス２０２に表示されるサーフィスを切替えても良い。また、ユーザが携帯端末を瞬間的に又は素早く振れば、３次元機能キーも瞬間的若しくは直ちにひっくり返されて、第１サーフィス２０１の表示が第２サーフィス２０２の表示に変わることも可能である。
【００４９】
例えば、数字‘１’に対応するキーボタンによって電話番号が保存された “ママ”のように、短縮番号による連絡が可能な相手の一人に電話をかける時、ユーザは、第１サーフィス２０１の数字‘１’を長く押して電話をかけても良い。または、ユーザは携帯端末を傾けて、第１サーフィス２０１の表示から第２サーフィス２０２の表示に切り替えた後に、第２サーフィス２０２上の“ママ”と表示された識別情報に対応するキーボタンを短く押して電話をかけることが可能である。また、携帯端末を基準角に傾けて第２サーフィス２０２上に表示された情報を確認した後、前記の基準角に傾ける前の元の位置又は方向（すなわち、第１サーフィス２０１が表示される位置又は方向）に復帰して、第１サーフィス２０１上の数字“１”のキーを長く押して“ママ”に電話をかけることも可能である。
【００５０】
さらに他の追加的態様によって、ユーザが第１サーフィス２０１上に表示された数字キーを短時間接触若しくは短時間押せば（以下、「ショート・タッチ」と称する）、当該数字が入力される。また、第１サーフィス２０１上に表示された数字キーを長時間接触若しくは長時間押せば（以下、「ロング・タッチ」と称する）、ロング・タッチされたキーに対応する数字を抽出することができる。前記抽出された数字にマッピングされた電話番号が保存部１０４の短縮番号テーブルから見出される。更に、抽出された電話番号を用いて、携帯端末に電話連絡することができる。第１サーフィス２０１上に表示された数字キーにロング・タッチを行えば、前記数字キーに対応する数字がマッピングされた電話番号を持たない場合（例えば、短縮番号のテーブルが、数字キーに対応する数字にマッピングされた電話番号を全く含んでいない場合）、ディスプレイは、短縮番号の保存が可能な編集画面に切り替わることができる。前記編集画面は、短縮番号用の数字キー上に所望の電話番号を保存するために使用することができる。前記編集画面は、電話帳に関連する表示画面を有しており、ユーザが電話帳から目的の電話番号を選択できるようにしても良い。更に、編集画面は、連絡する電話番号又は名前をユーザが手入力若しくは編集できる画面を備えていても良い。また、表示された第１サーフィス２０１上の短縮番号に相当する数字キーに前述した“ロング・タッチ”することによって、ユーザがマッピングされた電話番号で電話を掛けることができ、或いは短縮番号として保存された電話番号を編集できるオプションメニューを備えても良い。ここで、前記「オプションメニュー」は、前述したものに限定されるものでは無く、ポップアップウィンドウ、ポップアンダーウィンドウ、ハイライトされた（ｈｉｇｈｌｉｇｈｔｅｄ）キーパッド等のように表示されても良い。
【００５１】
更に、ユーザが第２サーフィス２０２上の数字キーにショート・タッチ若しくはロング・タッチをすることによって、前記タッチされた数字キーに対応する短縮番号の連絡先の氏名若しくは対応する電話番号等（例えば、連絡先“ホン・ギルトン”若しくは“０１１−１２３４−５６７８”等の対応する電話番号）の値若しくは意味を抽出することもできる。更に、短縮番号の連絡先の氏名若しくは対応する電話番号等の前記抽出された値若しくは意味は抽出され、携帯端末は、ユーザのタッチを受ける数字キーにマッピングされる電話番号をダイヤルしても良い。前記マッピングされる電話番号は、保存部１０４内の短縮番号テーブルに含まれる短縮番号であっても良い。
【００５２】
第２サーフィス２０２に表示された情報が電話番号である場合、短縮番号テーブルから情報を抽出せずに、直ちに電話連絡が実行され得る。ここで、ユーザがショート・タッチ又はロング・タッチを行って数字キーを選択し、前記選択された数字キーが前記短縮ダイヤル操作と関連してマッピングされた電話番号を有さない場合、ディスプレイは短縮番号の保存が可能な編集画面に切り替わり、ユーザは、選択された数字キーに所望の電話番号をマッピングするために前記編集画面をすることもできる。短縮番号を保存する編集画面は、上述したように、電話番号或いは連絡先の名前等、ユーザが電話帳から電話番号を選択可能にするか、或いは連絡情報を手入力若しくは編集することを可能にするディスプレイ画面であっても良い。
【００５３】
また、選択された数字キーがマッピングされた電話番号を有する場合、表示された第２サーフィス２０２上の数字キーにロング・タッチをすることによって、前記マッピングされた電話番号により通話を実行することもでき、数字キー上のショート・タッチによって、前記表示画面が電話番号の編集を行うことができる編集画面に切り替えられるようにしても良い。また、電話番号がマッピングされた数字キーの第２サーフィス２０２上にショート・タッチ又はロング・タッチすることによって、前記マッピングされた電話番号によりユーザが通話を実行することもでき、或いはユーザが前記マッピングされた電話番号の編集を行うことができるオプションメニューに切り替えられるようにしても良い。前記オプションメニューは、ポップアップウィンドウ又は他の互換性のある機構として表示しても良い。
【００５４】
本発明の特徴によれば、ディスプレイ上に示された第１サーフィス２０１上にロング・タッチすることによって、第２サーフィス２０２に対応する値の抽出を行い、前記抽出された値が表示されても良い。
【００５５】
実施形態は、ショート・タッチ若しくはロング・タッチの使用に関して記載されているが、本発明の特徴は、他の入力タイプが用いられても良く、本発明は前記ショート・タッチ等に限定されるものでは無い。
【００５６】
図３は、本発明の他の実施形態による３次元機能キーのスイッチング操作を示す。
【００５７】
図３を参照すると、３次元機能キーは、第１サーフィス３０１と第２サーフィス３０２とを含む。
【００５８】
第１サーフィス３０１は、メインボタングループに対応しうる。例えば、第１サーフィス３０１には、ハングル文字入力のためのハングル文字が表示される。第２サーフィス３０２は、サブボタングループに対応しうる。例えば、第２サーフィス３０２には、数字及び特殊文字の入力のための数字／特殊文字が表示される。例えば、第２サーフィス３０２上の数字１に対応する３次元機能キー３００は、第１サーフィス３０１上に文字‘
0005943856.tif 000002
’を表示し、数字“１”を表示する。
【００５９】
第１サーフィス３０１と第２サーフィス３０２との間の表示状態の切替は、携帯端末の検出された動作によってなされうる。例えば、ユーザが携帯端末を瞬間的に振る際に、第１サーフィス３０１から第２サーフィス３０２に（または、その逆に）表示状態を変えても良い。もし、ユーザが、第１サーフィス３０１をタッチすることによりハングルを入力しながら、疑問符のような特殊文字の入力が必要な場合、携帯端末を傾けるか若しくは振れば、第１サーフィス３０１の表示を第２サーフィス３０２に切り替えられるようにすることができる。ユーザは、第２サーフィス３０２に表示された特殊文字を入力した後に、再び携帯端末を瞬間的に振って、第１サーフィス３０１に戻ることが可能である。
【００６０】
一方、ユーザが、携帯端末を特定の方向に一定角度以上傾ける場合、第１サーフィス３０１から第２サーフィス３０２が表示された状態、或いはその逆の場合に切替えることもできる。
【００６１】
更に、図示されていないが、全部としての全体のキーボードが、携帯端末の傾き、動作若しくは向きに基づいて、アルファベット等の英語の文字を表示できる第１サーフィスと、数字又は文字の組み合わせを表示できる第２サーフィスの表示に切り替えができるように、全体のキーボードは、３次元において備えられる。また、携帯端末の傾き、動き若しくは方向によって、他のキーが第１サーフィスの表示を維持する一方、選択されたキーボタンの組み合わせは、集団として、第１サーフィスから第２サーフィスへ切り替えられる。
【００６２】
図４は、本発明の一実施形態による３次元機能キーパッドの表示切り替え操作及び切り替えられたキーパッドを用いる操作の表示画面を示す。
【００６３】
図４を参照すると、最初の画面４０１で、ユーザは、キーパッド数字を長く押して、その数字に指定された連絡対象に電話をかけることができる。もし、携帯端末の数字のキーパッドの数字キー“１”に“ホン・ギルドン”の短縮番号に対応する電話番号がマッピングされている場合、ユーザは、画面４０１で数字“１”キーを長く押して、ホン・ギルドンに電話をかけることができる。
【００６４】
ところが、最初の画面４０１で、ユーザが数字“１”キーに対応する識別情報がどのような情報なのか、または“ホン・ギルドン”の電話番号が何番にマッピングされているのかが分からない場合、ユーザは、携帯端末を上側方向又は下側方向等の種々の方向に傾けて、二番目の画面４０２を表示させることが可能である。
【００６５】
携帯端末の検出された傾きに応答して、二番目の画面４０２が表示されれば、ユーザは、数字“１”のキーに連絡先の名前“ホン・ギルドン”でマッピングされていることを把握することができる。二番目の画面４０２上で“ホン・ギルドン”と表示されたキーを軽く押すと、ホン・ギルドンに電話をかけることができる。また、通話の終了時に、ユーザは、携帯端末を再び傾けて、最初の画面４０１を表示させることもできる。しかし、本発明は前記の構成に限定されず、通話の終了時に、ユーザが追加的に動作すること無く、最初の画面４０１を表示させるか、携帯端末のディスプレイ初期画面（例えば、ホーム画面）が表示されるように構成することもできる。
【００６６】
一実施形態において、ユーザは、携帯端末を基準角度の方向に或いは基準角度の範囲内に徐々に傾けるとき、３次元機能キーの第１サーフィス４１０の一部と第２サーフィス４２０の一部が同時に表示されるように、第１サーフィス４１０の部分が回転される。また、ユーザが携帯端末をさらに傾けるとその傾きの角度の増加に従って、最初の画面４０１に表示されたキーパッド番号ボタンが徐々に回転又は裏返しにされるようにすることもできる。携帯端末が所定の角度を超えて傾けられるように、ユーザが携帯端末を更に傾けると、３次元機能キーの第１サーフィス４１０が完全に裏返しにされ、最初の画面４０１は二番目の画面４０２に切り替えられ、第２サーフィス４２０を表示する。したがって、ユーザが、数字“１”キーに誰が指定されて保存されているかが気になれば、携帯端末を傾けて対応する連絡先の名前“ホン・ギルドン”を見ることができる。
【００６７】
他の実施形態において、１以上の３次元機能キーの傾きの程度は、携帯端末の傾斜角度を反映して決定されうる。例えば、携帯端末の傾斜角度と同じ角度で３次元機能キーを回転させることが可能である。しかし、本発明はこのような構成に限定されず、３次元機能キーが携帯端末の傾斜角度の０．５倍或いは２倍等とする係数で回転させても良い。
【００６８】
図５は、本発明の他の実施形態による、３次元機能キーパッドの表示切り替え操作を用いた携帯端末の操作を実行する際の携帯端末の表示画面を示す。
【００６９】
図５を参照すると、図４と同様に、最初の画面５０１には、１以上の３次元機能キーの第１サーフィス５１０が表示され、二番目の画面５０２には、１以上の３次元機能キーの第２サーフィス５２０が表示される。第１サーフィス５１０には、電話番号の入力のためのキーパッド数字が表示され、第２サーフィス５２０には、各数字に指定された連絡対象の識別情報が表示される。
【００７０】
最初の画面５０１から二番目の画面５０２への切替は、携帯端末の傾斜、フリップ動作、回転動作によって制御される。例えば、ユーザが、携帯端末を瞬間的に弾ければ（いわゆる「フリック」動作）、最初の画面５０１が二番目の画面５０２に変更されうる。
【００７１】
また、画面が切り替わる過程で表示されるグラフィック効果は、制限されるものではなく、種々の方法によって実行することができる。例えば、図４のように３次元機能キーが回転しながら画面が切り替えられても良く、或いは図５のように３次元機能キーが折り重なりながら変わることも可能である。また、１以上の３次元機能キーの第１サーフィスがフェードアウトしながら第２サーフィスに変わるか、第１サーフィスから第２サーフィスに直ちに変わるようにしても良い。
【００７２】
図６は、本発明のさらに他の実施形態による、３次元機能キーの表示切り替え操作を用いた携帯端末の操作を実行する際の携帯端末の表示画面を示す。
【００７３】
図６を参照すると、第１方向へのフリップ動作又は回転によって、最初の画面５０１から二番目の画面５０２に切替えられて、最初の１０個の短縮番号の連絡先（例えば、連絡先１〜１０）を表示し、更なる第１方向へのフリップ動作或いは回転動作を行うことによって、二番目の画面５０２から三番目の画面５０３に切替えられ、第２の短縮番号の連絡先（例えば、連絡先１１〜２０）を表示する。同様に、第１方向への携帯端末のフリップ動作若しくは回転動作によって、三番目の画面５０３から四番目の画面５０４に切替えられ、第３の短縮番号の連絡先（例えば、連絡先２１〜３０）を表示する。この際、二番目の画面５０２には、最初の画面５０１で表示される数字キーパッド０〜９に対応する最初の１０個の短縮番号の識別情報が表示され、三番目の画面５０３には、第２の短縮番号の連絡先（例えば、連絡先１１〜２０）の識別情報が、対応するキーパッド番号上に表示される。例えば、キーパッド番号“１”が最初の画面５０１に表示されている場合、 “リ・ナミ”という連絡先の名前は、前記三番目の画面５０３に表示させることができる。更に、四番目の画面５０４には、第３の１０個の短縮番号の連絡先（例えば、連絡先２１〜３０）の識別情報が表示される。例えば、キーパッド番号“１”が最初の画面５０１に表示されている場合、“ソン・ミジャ”という連絡先の名前は、前記四番目の画面５０４に表示させることができる。このような方式で多数の短縮番号の詳細を順次に表示させることができる。
【００７４】
逆に、第１方向に対して別方向或いは逆方向である第２方向へ携帯端末をフリップ動作することによって、四番目の画面５０４から三番目の画面５０３に、三番目の画面５０３から二番目の画面５０２に、二番目の画面５０２から最初の画面５０１に切替えされる。また、他の実施形態で、現在如何なる画面が表示された状態であるかに無関係に、第２方向にフリップ動作が発生すれば、前記フリップ動作に反応して数字キーパッドが表示される最初の画面５０１に直接的に切替えさせることもできる。
【００７５】
ここで、例えば、第１方向を携帯端末の前方に設定し、第２方向を携帯端末の後方に定めることができるが、何れか１つの方向に限定されるものではなく、第１方向と第２方向とが逆方向若しくは異なる方向であれば良い。
【００７６】
一方、図６の実施形態は、図４に示した例において使用される方法によって実行可能である。より詳細に説明すれば、携帯端末が第１方向へ所定の臨界角度以上傾くと、携帯端末は現在表示されている画面を順次他のディスプレイ画面に切り替えるように構成しても良い。携帯端末を第１方向へ前記臨界角度を超えて傾けることによって、現在表示されているディスプレイ画面が最初の画面５０１から二番目の画面５０２へ完全に切り替えられると、ユーザは携帯端末を前の位置或いは方向に戻し、次いで、再び第１方向に一定角度以上、携帯端末を傾ける場合、二番目の画面５０２が三番目の画面５０３に画面切替えがなされるように構成することができる。また、端末を第１方向に一定角度超を傾けることによって、現在表示されている画面が最初の画面５０１から二番目の画面５０２に完全に画面切替えがなされる場合、ユーザが携帯端末を前記一定角度超に傾けた状態に保持する場合、現在表示されている二番目の画面は、三番目の画面５０３、四番目の画面５０４に順次に画面切替えがなされるように構成することもできる。一方、臨界角度は、ユーザによって任意に設定しても良く、携帯端末で自動的に設けられても良い。
【００７７】
また、第１方向に対して異なる若しくは反対向きの第２方向へ携帯端末を傾けることによって、ひっくり返しの画面切り替え或いは逆方向の画面切替えがなされるように構成することもできる。より具体的には、四番目の画面５０４が現在表示されており、携帯端末が第２方向に所定の基準角度を超えて傾けられている場合、現在表示された画面が、三番目の画面５０３、二番目の画面５０２、最初の画面５０１に順次に画面切替えがなされるように構成することができる。一方、現在如何なる画面が表示された状態であるかに無関係に、第２方向に一定角度を超えて携帯端末を傾ける動作が発生すれば、最初の画面５０１に直接に切替えされるように構成することもできることはいうまでもない。
【００７８】
図５及び図６を参照して、前述したように、画面切替過程で現れるグラフィック効果は、特別に制限されるものではない。例えば、図４に示したように、３次元機能キーが回転しながら画面が変わるように構成しても良く、或いは、図５に示したように、３次元機能キーが折り重なりながら画面が変わるように構成しても良く、また或いは図６に示したように、３次元機能キーが回転しながら画面が切り替わるように構成することも可能である。また、１以上の３次元機能キーの第１サーフィスがフェードアウトしながら第２サーフィスに変わるか、第１サーフィスから第２サーフィスに直ちに変わることも可能である。
【００７９】
図７は、本発明の一実施形態による画面切替機能を設定するための操作の設定の構成に関する設定画面を示す。
【００８０】
図７を参照すると、ユーザは、メイン設定窓６０１で“ディスプレイ”を選択して、第１、第２及び第３ディスプレイ設定窓６０２ａ、６０２ｂ、６０２ｃの少なくとも一つを表示させ得る。また、ユーザが第１、第２及び第３ディスプレイ設定窓６０２ａ、６０２ｂ、６０２ｃのいずれか一つから“ダイヤル”ボタンを選択すれば、前記選択に反応して、所定のトグルボタン６０２が表示され、ユーザがこのトグルボタン６０２をタッチすることによって、ユーザは３つのダイヤルモードのうちの何れか１つ、或いは携帯端末を操作する方法を与えるモードを選択して、第１サーフィスから第２サーフィスへ切り替えることができる。
【００８１】
ダイヤルモードの例として、“３Ｄチルト”モード、“３Ｄフリップ”モード及び“クラシックホワイト”モードを含みうる。前記“３Ｄチルト”モードにおいて、ユーザは、携帯端末を後方に傾けて短縮番号を確認した後、通話連絡を行う。前記“３Ｄフリップ”モードでは、ユーザは、端末を後ろに弾くジェスチャ（「フリック」（ｆｌｉｃｋ））を通じて短縮番号を確認した後、通話連結を行う。前記“クラシックホワイト”では、携帯端末は、端末ダイヤルボタンにジェスチャを関連付けること無く、基本的なダイヤルスキンを提供する。但し、ここでの３つのモードは、理解を助けるための例示的な事項であって、その他にも多様なモードが使われるということはいうまでもない。
【００８２】
図８は、本発明の一実施形態による携帯端末の３次元機能キー表示切替方法を示す。図８に示される方法は、図１の携帯端末によって実施されるように記載されているが、図１に限定されるものでは無い。
【００８３】
図１及び図８を参照すると、まず、演算７０１では、ユーザの動作が検出される（７０１）。例えば、動作検出部１０１が、携帯端末に対するユーザの動作のうち、携帯端末を傾ける動作であるチルト動作、または、ユーザが後方または裏側方向等、フリック方向またはフリップ方向に携帯端末をフリックするフリップ動作を検出することができる。動作検出部１０１がチルト動作を検出する場合、チルトされた方向及び角度のうち少なくとも１つが検出されることもあり、フリップ動作を検出する場合、フリップ方向または回転方向のうち少なくとも１つが検出されうる。
【００８４】
そして、演算７０２では、３次元機能キーが表示される（７０２）。例えば、ディスプレイ部１０２が、少なくとも２面を有する３次元機能キーを表示する。第１サーフィスは、電話番号の入力のための数字キーパッド上の数字ボタンにマッピングされ、第２サーフィスは、前記数字ボタンに対応する短縮番号の情報にマッピングされる。しかし、本発明は前記表示に限定されず、第１サーフィス及び第２サーフィスは、英語の文字を有するキーボード、数字及び記号等の組み合わせを含むキーボードを備えていても良い。前記キーボードは、仮想キーボード（ｖｉｒｔｕａｌ  ｋｅｙｂｏｒｄ）であっても良い。
【００８５】
そして、演算７０３では、検出された動作によって、３次元機能キーの前記２つのサーフィスの表示切替えを制御する（７０３）。例えば、携帯端末の検出されたチルト動作、またはフリップ動作に反応して３次元機能キーを回転することによって、制御部１０３は、現在表示された第１サーフィスの表示を第２サーフィスの表示或いはその逆に切り替えることが可能である。
【００８６】
本発明によれば、３次元機能キーの表示切り替え操作の順序及び表示切り替えの際のグラフィック効果などは、あらかじめ保存された設定情報に基づいて決定されうる。また、３次元機能キーの表示切り替え操作の際のグラフィック効果は、３次元機能キーの１以上のサーフィス上に表示された情報或いは携帯端末の検知された動作に基づかれても良い。例えば、制御部１０３は、保存部１０４に保存された設定情報を参照して、表示切替えを制御することが可能である。言い換えれば、切替えされた表示面に対応する情報及び切替方法を保存部１０４から抽出し、前記抽出された切替方法及び情報に基づいて１つ以上の３次元機能キーの表示面を変更することが可能である。
【００８７】
図９ないし図１１は、本発明の他の実施形態による３次元機能キーパッドの表示切り替え機能を用いた携帯端末の３次元機能キー表示切替方法を示す。
【００８８】
図９を参照すると、３次元機能キー以外にも、ダイヤルまたは特殊キーのような追加的な操作キー、ホーム画面（ｈｏｍｅ  ｓｃｒｅｅｎ）上に表示されるウィジェットアイコン（ｗｉｄｇｅｔ  ｉｃｏｎ）は、３次元的に表示されても良い。前記アイコンの表示面は、携帯端末の検知された動作に応答して関連する操作ページに、３次元的に切り替わるようにしても良い。例えば、図９に表示されるように、携帯端末の検知された傾き又はフリップ動作に応じて、時計アイコン（ｃｌｏｃｋ  ｉｃｏｎ）８０１は所定の回転軸８０２を基準に回転して、アラーム機能がマッピングされた裏面８０３は表示される。ユーザが裏面８０３をタッチ操作すれば、アラーム設定機能が起動されるようにしても良い。
【００８９】
尚、図９では、時計アイコン８０１の裏面８０３に関連機能がマッピング及び表示されるものを例示したが、これは、理解を助けるための例示的事項であって、本発明は図９に限定されない。例えば、時計アイコン８０１が多面体で構成され、前面には時計機能、右側面にはアラーム機能、裏側面にはストップウォッチ機能、最上面にはタイマー機能などがマッピングされるように構成することもできる。
【００９０】
図１０を参照すると、複数のアイコンを表示するメニュー画面のＧＵＩは、作業管理者のように関連メニューに直ちに切替えられても良い。更に、前記アイコンは、関連メニューに直ちに切り替えられても良い。例えば、多数のアプリケーション実行アイコンを表示する基本メニュー画面または壁紙８０４は、チルト動作、またはフリップ動作等の携帯端末の所定の動作の検出に応じて、ＣＰＵ使用率を表わすタスクマネージャー（ｔａｓｋ  ｍａｎａｇｅｒ）画面８０５に切替えられても良い。関連メニューの例としては、タスクマネージャー以外にも、多様なメニュー画面の表示形態を使用しても良い。
【００９１】
図１１を参照すると、携帯端末の表示画面のうち、下端のボタン部分に向かって位置するランチャー領域８０６内に表示されたショートカットボタンが、携帯端末の動作によって関連する機能を実行するために使用されるボタンに切替えられる。ここで、“Ｃａｌｌ”ショートカットボタン、“ＭＳＧ”ショートカットボタン及び“Ｍｅｎｕ”ショートカットボタンは、前記ランチャー領域８０６内に設けられる。しかし、本発明は前記構成に限定されず、他のショートカットボタンが前記ランチャー領域８０６内に追加され或いは登録されても良く、他のショートカットボタンを用いること無く、現在表示されているショートカットボタンが編集され、削除され、或いは置換されても良い。例えば、テキストメッセージアイコン８０７上には、携帯端末の所定のジェスチャ（ｇｅｓｔｕｒｅ）又は動作（例えば、携帯端末を振ること）の検出に応じて、ユーザが最近、最も多くのテキストメッセージを多く送った連絡対象の名前がトグルされても良い。前記連絡対象の名前は、テキストメッセージアイコン８０７の裏面８０８に表示され、携帯端末の検出された動作に従って明示されるようにしても良い。
【００９２】
また、具体的に図示されていないが、前述の実施形態は携帯端末に装着されたカメラに適用されても良く、その場合、本発明による実施形態は、携帯端末の検出された動作によって、動作するカメラを前面カメラから背面カメラに、またはその逆に切り替えるようにすることもできる。
【００９３】
そして、ＤＭＢ（ｄｉｇｉｔａｌ  ｍｕｌｔｉｍｅｄｉａ  ｂｒｏａｄｃａｓｔｉｎｇ）又は動画プレーヤーによって再生されるコンテンツを視聴しながら、携帯端末のフリップ動作或いは特定方向のチルト動作の検出に応じて、現在の画面がテキストメッセージ（ｔｅｘｔ  ｍｅｓｓａｇｅ）やＳＮＳのプッシュ型メッセージ（ｓｏｃｉａｌ  ｎｅｔｗｏｒｋ  ｓｅｒｖｉｃｅ  ｐｕｓｈ  ｍｅｓｓａｇｅ）を表示する画面に切替えられるか、携帯端末の傾斜角度に応じて、前記メッセージの一部が画面に見えるようにしても良い。また、フリップまたはチルト動作を検出することによって、ユーザは、現在表示されている画面をテキストメッセージまたはＳＮＳアプリケーションの実行画面に直ちに切替えることもできる。
【００９４】
一方、追加的な応用例として、フリップまたはチルト動作が感知されれば、フォアグラウンドアプリケーション（ｆｏｒｅｇｒｏｕｎｄ  ａｐｐｌｉｃａｔｉｏｎ）とバックグラウンドアプリケーション（ｂａｃｋｇｒｏｕｎｄ  ａｐｐｌｉｃａｔｉｏｎ）を相互に切り替えるか、現在の表示画面の一部が異なる表示画面に切り替えられるようにしても良い。
【００９５】
前述したように、開示された実施形態によれば、３次元機能キーの表示の切り替わりは、携帯端末の検知された動作によって実行され、ユーザが１以上の３次元機能キーにマッピングされた各種の機能を直観的に認識できるようにすることができる。
【００９６】
本発明の実施形態によれば、ＧＵＩボタンで入力される情報が明確に認識され、モード切り替えが携帯端末の動作の検知によって実行される。また、ユーザは、当該ＧＵＩボタンの補助の情報を混同なしに確認し、操作を実行するために費やされる操作時間を低減し、前記ＧＵＩボタンに関連する機能への切替も直ちに行うことができる。
【００９７】
本発明の実施形態によれば、３次元機能キー等の多面的なキーが異なる情報を用いてそれぞれマッピングされた各面を有する場合、前記多面的なキーは、マッピングされた情報又は文字或いは記号を表示しても良い。また、３次元機能キーが携帯端末の認識された動き及び／又は操作に従って回転する場合、前記３次元機能キーの現在表示されている側或いはサーフィスは、前記３次元機能キーの１以上の側或いはサーフィスがより単純化された情報を表示するように、他の側或いは他のサーフィスに切り替えられても良い。従って、３次元機能キーの使用は、携帯端末の操作中に追加的なステップを行う不便さを低減し、更なる情報を与えることができる。
【００９８】
一方、前述した本発明の方法及び／又は機能は、プログラム命令を含む、一時的でなくコンピュータ読み取り可能な媒体に記録され得、コンピュータによって実施される様々な動作を実行する。媒体はさらに、単一またはプログラム命令と組み合わされた形態で、データファイル及びデータ構造などを含み得る。媒体及びプログラム命令は、本発明の目的のために特別に設計され構築されたものであってもよいし、コンピュータソフトウェアの分野の当業者に周知で利用可能な種類のものであってもよい。一時的でなくコンピュータ読み取り可能な媒体の例は、ハードディスク、フロッピー(登録商標)ディスク、磁気テープなどの磁気媒体、ＣＤ ＲＯＭディスク及びＤＶＤなどの光媒体、光ディスクなどの光磁気媒体、ならびにリードオンリーメモリ（ＲＯＭ）、ランダムアクセスメモリ（ＲＡＭ）及びフラッシュメモリなどの、プログラム命令を格納し実行するために特に構築されたハードウェアデバイスを含む。プログラム命令の例は、コンパイラによって生成されるマシンコードと、インタープリタを用いてコンピュータによって実行され得る高レベルコードを含むファイルとの両方を含む。上記のハードウェアデバイスは、本発明の上記実施形態の動作を実施するために１以上のソフトウェアモジュールとして作用するように構築され得る。また、コンピュータで読み取り可能な記録媒体は、ネットワークで連結されたコンピュータシステムに分散されて、分散方式でコンピュータで読み取り可能なコードとして保存されて実行可能である。また、コンピュータで読み取り可能な記録媒体は、ネットワークで連結されたコンピュータシステムに分散されて、コンピュータで読み取り可能なコード又はプログラムは前記記録媒体に保存され且つ分散方式で実行可能である。
【００９９】
本発明の趣旨及び範囲から逸脱すること無く、種々の改変及び変更が本発明に成し得ることは、当業者に明らかであろう。このように、本発明に行われる種々の改変及び変更が本願の特許請求の範囲のクレーム及び前記クレームに均等なものの範囲内にある限り、本発明はそのような改変及び変更を含むことが意図されている。
さらに、前述した実施形態は、本発明を例示的に説明するためのものであって、本発明の権利範囲が、特定の実施形態に限定されるものではない。
【産業上の利用可能性】
【０１００】
本発明は、３次元機能キーを有する携帯端末及び携帯端末の３次元機能キー表示切替方法関連の技術分野に適用可能である。
【符号の説明】
【０１０１】
１０１：動作検出部
１０２：ディスプレイ部
１０３：制御部
１０４：保存部
【図１】
0005943856.tif 000003
【図２】
0005943856.tif 000004
【図３】
0005943856.tif 000005
【図４】
0005943856.tif 000006
【図５】
0005943856.tif 000007
【図６】
0005943856.tif 000008
【図７】
0005943856.tif 000009
【図８】
0005943856.tif 000010
【図９】
0005943856.tif 000011
【図１０】
0005943856.tif 000012
【図１１】
0005943856.tif 000013